(57)【要約】【課題】プリズムシートの凹凸面の凹凸を埋めるパターンを形成した従来のプリズムシートを改良し、より一層の改ざんに対する抵抗性を付与したプリズムシートを提供することを課題とするものである。【解決手段】透明シート２の下面に凹凸３を設けたプリズムシートの凹凸３に、凹凸をパターン状に埋める透明パターン層４、およびレーザー光等により記録を行なうことが可能なアルミニウムや銅等の薄膜層６を積層して、薄膜層にＩＤ番号等を記録することにより、改ざんが困難となると共に、記録されたＩＤ番号に基づく照合をも行ない得るよう構成した。【選択図】        図１
2006007592.tif 000002
【特許請求の範囲】
【請求項１】
透明シートの片面に凹凸を有しており、前記凹凸をパターン状に埋める透明パターン層、および加熱により光の透過率もしくは光の反射率が変化する薄膜層が順に積層された積層構造を有することを特徴とする真偽判定媒体。
【請求項２】
前記凹凸の形状は、断面が三角形の角柱を密に並べたときの表面の形状であることを特徴とする請求項１記載の真偽判定媒体。
【請求項３】
前記薄膜層は前記透明シートとは別の基材シートに積層されて積層シートを構成しており、前記積層シートが前記透明パターン層と積層されていることを特徴とする請求項１または請求項記載の真偽判定媒体。
【請求項４】
請求項１〜請求項３いずれか記載の前記積層構造の前記透明シート側とは反対側の面に接着剤層が積層されていることを特徴とする真偽判定媒体貼着用ラベル。
【請求項５】
請求項１〜請求項３いずれか記載の前記積層構造の前記透明シート側に、剥離性シートが積層されていることを特徴とする真偽判定媒体転写シート。
【請求項６】
基材上に請求項１〜請求項３いずれか記載の前記真偽判定媒体が積層されていることを特徴とする真偽判定体。
【発明の詳細な説明】
【技術分野】
【０００１】
本発明は改ざんが困難で、真正性を判定するのに適した真偽判定媒体、真偽判定媒体貼着用ラベル、真偽判定媒体転写シート、および真偽判定体に関するものでもある。
【背景技術】
【０００２】
経済的な価値の高い高額商品やＩＤ手段として用いることにより価値を生じ得るクレジットカード、金券類等には、それらの真正であるか否かを判定するための手段、即ち、真偽を判定するための手段が講じられていることが多い。真偽を判定する代表的な手段としてはホログラムラベル、ホログラムやホログラムに外観が似ている回折格子をラベル化したもの、がよく用いられている。
【０００３】
ホログラムラベルは、その製造に高度な技術を要するため、もともと高い偽造防止性を有しているが、既に多種類のホログラムラベルが出回っており、ホログラムラベルの製造技術自体は知られていることから、改ざんに対するより高度な抵抗性が求められるようになってきている。そこで、ホログラムラベルの改良と共に、他の手段で真偽を判定できるようにするための新たな試みも進められている。
【０００４】
そのような新たな試みの一つとして、例えば、断面が三角形のプリズムを多数配列した凹凸を背面に有するプリズムシートを用い、その凹凸面をプリズムシートの素材と屈折率がほぼ近い素材でパターン状に埋めると、凹凸の無い側から観察したときに、凹凸表面が埋められた部分では光が透過し、埋められてない部分では観察側からの入射光が反射する選択的な再帰反射を起こすため、裏面の凹凸を埋めたパターンに応じた再帰反射パターンが観察されるので、このようなシートを真正性の判定の必要な書類や身分証明書等に透明オーバーレイとして使用することが提案されている。（特許文献１）。
【特許文献１】特表平１０−５０８５４９号公報。
【０００５】
特許文献１記載の技術によれば、回折格子をパターン化したものに似た外観のパターンを有する真偽判定媒体が得られ、製造方法的にも複雑なため、一定の偽造防止性を有するものが得られるが、やはり一層の改ざんに対する抵抗性を備えることが望まれる。
【発明の開示】
【発明が解決しようとする課題】
【０００６】
従って、本発明においては、プリズムシートの凹凸面の凹凸を埋めるパターンを形成した従来のプリズムシートを改良し、より一層の改ざんに対する抵抗性を付与したプリズムシートを提供することを課題とするものである。
【課題を解決するための手段】
【０００７】
発明者の検討によれば、プリズムシートの場合であれば、凹凸面の凹凸を埋めるパターンを形成した従来のプリズムシートに、レーザー光等により記録を行なうことが可能なアルミニウムや銅等の薄膜層を積層して、薄膜層にＩＤ番号等を記録することにより、改ざんが困難となると共に、記録されたＩＤ番号に基づく照合をも行ない得ることを見出し、本発明に到達することができた。
【０００８】
課題を解決する第１の発明は、透明シートの片面に凹凸を有しており、前記凹凸をパターン状に埋める透明パターン層、および加熱により光の透過率もしくは光の反射率が変化する薄膜層が順に積層された積層構造を有することを特徴とする真偽判定媒体に関するものである。
【０００９】
また、第２の発明は、第１の発明において、前記凹凸の形状は、断面が三角形の角柱を密に並べたときの表面の形状であることを特徴とする真偽判定媒体に関するものである。
【００１０】
第３の発明は、第１または第２の発明において、前記薄膜層は前記透明シートとは別の基材シートに積層されて積層シートを構成しており、前記積層シートが前記透明パターン層と積層されていることを特徴とする真偽判定媒体に関するものである。
【００１１】
第４の発明は、第１〜第３いずれかの発明の前記積層構造の前記透明シート側とは反対側の面に接着剤層が積層されていることを特徴とする真偽判定媒体貼着用ラベルに関するものである。
【００１２】
第５の発明は、第１〜第３いずれかの発明の前記積層構造の前記透明シート側に、剥離性シートが積層されていることを特徴とする真偽判定媒体転写シートに関するものである。
【００１３】
第６の発明は、基材上に第１〜第３いずれかの発明の前記真偽判定媒体が積層されていることを特徴とする真偽判定体に関するものである。
【発明の効果】
【００１４】
第１の発明によれば、凹凸を有する透明シートと透明パターン層に基づく、目に見える再帰反射パターンに加えて、加熱により光の透過率もしくは光の反射率が変化する薄膜層を利用して記録を行なうことが可能な真偽判定媒体を提供することができる。
【００１５】
第２の発明によれば、第１の発明の効果に加えて、透明シートの凹凸を、断面が三角形の角柱を密に並べたときの表面の形状としたので、得られる再帰反射パターンが明瞭な真偽判定媒体を提供することができる。
【００１６】
第３の発明によれば、第１または第２の発明の効果に加えて、製造が容易で薄膜層の厚み精度を確保しやすい真偽判定媒体を提供することができる。
【００１７】
第４の発明によれば、第１〜第３いずれかの発明の効果を有する真偽判定媒体の透明シートとは反対側に接着剤層が積層されているので、そのまま他の物品に貼付けにより適用することが容易な真偽判定媒体貼着用ラベルを提供することができる。
【００１８】
第５の発明によれば、第１〜第３いずれかの発明の効果を有する真偽判定媒体の透明シート側に剥離性シートが積層されているので、他の物品に転写により適用することが容易な真偽判定媒体転写シートを提供することができる。
【００１９】
第６の発明によれば、第１〜第３いずれかの発明の効果を有する真偽判定媒体が基材上に適用されているので、真偽判定の容易な真偽判定体を提供することができる。
【発明を実施するための最良の形態】
【００２０】
図１は本発明の真偽判定媒体の積層構造を例示する図である。図２は本発明の真偽判定媒体を対象部品に貼着するのに適した真偽判定媒体貼着用ラベルを例示する図である。図３は本発明の真偽判定媒体を転写により対象物品に適用するのに適した真偽判定媒体転写シートを例示する図である。図４は本発明の真偽判定媒体１における凹凸と凹凸を埋める透明パターン層とに基づいてパターンが見えることを示す図である。図５は本発明の真偽判定媒体の薄膜層に記録部を形成する様子を示す図である。図６は本発明の真偽判定媒体に記録部が形成された状態のものを示す図である。図７は本発明の真偽判定媒体を適用した真偽判定体を示す図である。
【００２１】
図１（ａ）に示すように、本発明の真偽判定媒体１は、透明シート２の図中の下面の全面に、倒立した正三角形の断面を持つ図中の手間側から奥側に向かう三角柱が多数配列して形成された凹凸３が設けられ、凹凸３の下面には凹凸３をパターン状に埋める透明パターン層４が積層され、透明パターン層４のある部分では透明パターン層４の下面、透明パターン層の無い部分では凹凸３の下面を覆って、加熱により光の透過率もしくは光の反射率が変化する薄膜層６が積層されたものである。なお、薄膜層６が透明性を有する場合には薄膜層６を図中の透明シート２の上面や透明シート２と凹凸３の間等に積層することも可能である。凹凸３の下面の透明パターン層４の無い部分では、凹凸３の下面と薄膜６との間に空気が存在する。
【００２２】
図１（ｂ）に示すように、本発明の真偽判定媒体１は、上記の図１（ａ）を引用して説明した積層構造中の薄膜層６が、薄膜層６と薄膜層６の下面の基材シート７との積層シートで置き換えられたものであってもよく、積層シートは図示のものとは上下が逆になる、すなわち、基材シート７側が透明パターン層４および凹凸３の側を向いて積層されていてもよい。
【００２３】
本発明における、透明シート２、凹凸３、および透明パターン層４が順に積層された複合シートを透明シート２側から眺めると、透明パターン層４の平面形状、即ち、パターン形状に基づく光の反射によるパターンを与える。
【００２４】
図４（ａ）に示すように、透明シート２側から入射する入射光１１は、透明パターン層４のある部分では、凹凸３を透過して透明パターン層４内に到達するが、透明パターン層４の無い箇所では、凹凸３と空気との界面で全反射し、最終的に、入射光１１の入射して来た方向に戻る反射光１２となる。従って、透明パターン層４のパターンに応じて、正確には、透明パターン層４のある部分とはネガとポジの関係になるパターンに相当する箇所が反射部１３となり、その他の箇所が非反射部１４となる。例えば、英大文字の「Ｎ」の文字部をポジパターンとするとき、英大文字の「Ｎ」以外の箇所の凹凸３の下面を透明パターン層４で埋めておくことにより、図４（ｂ）に示すように、照明により、英大文字の「Ｎ」の形状の反射部１３を得ることができる。
【００２５】
以上の説明では、透明シートに断面形状が正三角形のプリズムを配列したプリズムシートをベースとしたが、凹凸３を埋める透明パターン層４の形状に基づいて、パターン状の反射部１３が得られる限り、いかなる形状の凹凸を有するシートを用いてもよい。
【００２６】
例えば、プリズムの断面形状は上記した正三角形に限られることなく、二等辺三角形、もしくは直角三角形等のいずれの三角形でもよい。また、断面がこれらの三角形でもあり得るプリズムを有するプリズムシートに替えて、レンチキュラーレンズ（かまぼこレンズ）が配列したレンチキュラーレンズシートを用いてもよい。さらに、これらのプリズムシートおよびレンチキュラーレンズシートは、二次元の形状のレンズを有するが、三次元の形状のレンズを有するものであってもよい。球体の一部をなす形状や円錐形状、三角錐、四角錐等の形状の微小レンズが縦横に多数配列したシートを用いてもよい。
【００２７】
また、透明シート２と凹凸３とは、互いに別の層である方が、透明シート２を基材として凹凸３を形成するのに適しており、また、型を用いることにより、任意の形状の凹凸が再現性よく形成できる利点があるが、透明シート２と凹凸３とは一体であってもよく、要は、透明シート２の片面に凹凸形状を有していればよい。
【００２８】
凹凸３がプリズムである場合を例にとると、プリズムの高さは１μｍ〜１００μｍ程度であり、より好ましくは、５μｍから２５μｍ程度であり、ピッチはプリズムの断面形状にもよるが、プリズムの高さと同程度であるか、もしくは数分の１〜数倍程度である。
【００２９】
本発明の真偽判定媒体１において、透明シート２、凹凸３、および透明パターン層４に加えて積層されている薄膜層６は、加熱により光の透過率もしくは光の反射率が変化するものであるので、適宜な手段で加熱することにより、記録を行なうことができる。薄膜層６については後に説明するが、厚みとしては１μｍ以下のものである。
【００３０】
図５に例示するように、レーザー光源１５から出射したレーザー光１６を、レンズ１７を介して真偽判定媒体１の薄膜層６に集光するよう照射することにより、集光部において薄膜層６に光の透過率もしくは光の反射率を変化させる。例えば、集光部においてレーザー光１６により薄膜層６を蒸発等により除去し、微細な直径の貫通孔を生じさせる。このような貫通孔を入力情報に基づいて生じさせることにより、記録部１８を形成することができる。
【００３１】
薄膜層６への記録の際に用いるレーザー光は、連続光あるいはパルス光のいずれであってもよい。連続光のレーザー光は、一定時間の間、常に同じ出力を保持し得るし、パルス光のレーザー光は、ごくわずかな時間の間のみ高出力を得ることが可能である。
【００３２】
パルスレーザー光を得る方法としては、ＣＷのレーザー光（連続光）を外部変調器でその出力を制御する方法、またＱスイッチをレーザー共振器内に挿入しＱスイッチのスイッチングによりレーザー媒質に蓄積されたエネルギーを瞬時に出力させる方法がある。アルゴンレーザー、Ｈｅ−Ｎｅレーザー、ＹＡＧレーザー、もしくは半導体レーザーを用い、外部変調器としてメカニカルシャッター、Ａ／Ｏ変調素子、もしくはＥ／Ｏ変調素子等をＱスイッチとして挿入し、共振器のＱ値をコントロールすることにより、数十ナノ秒〜数百ナノ秒の時間幅のパルス光を発生させることができる。
【００３３】
図６は、記録部１８により、番号等を記録した状態を示すもので、図６（ａ）および図６（ｂ）のいずれにおいても、真偽判定媒体１の図中の上辺および下辺に沿って左右方向に薄膜層６、６が積層されており、下辺に沿って積層された薄膜層６に「０００１２３４」の番号からなる記録部１８が形成されている。また、図６（ａ）および図６（ｂ）のいずれにおいても、上辺および下辺に沿った二つの薄膜層６、６の間の部分では、英大文字の「Ｎ」の形状の反射部１３が図４（ａ）および図４（ｂ）を引用して説明したように形成されており、かつ、英大文字の「Ｎ」の形状と同じ形状の薄膜層６が形成されており、従って、英大文字の「Ｎ」以外の白地部分においては、薄膜層６が除かれている。ここで、図６（ａ）と図６（ｂ）とで、反射部１３の外観を異ならせているのは、反射部１３を法線方向から見たときには、反射部１３と非反射部１４における反射の差により、反射部１３が明瞭に見えるが、法線からの角度の大きい位置で見たときには、反射部１３と非反射部１４における反射の差が小さくなり、明瞭さが次第に低下することを示すためである。      
【００３４】
このように、本発明の真偽判定媒体１は、反射部１３の存在に基づく光の反射により、反射性のパターンを視認することができる上に、薄膜層６に形成された記録部１８が付加されているので、例えば、記録部１８に番号等を記録することにより、改ざんをより困難化できると共に、記録された番号をＩＤ番号とし、ＩＤ番号に対応する情報を予めリスト化しておくことにより、ＩＤ番号をインデックスとする製品の詳細や履歴等の照合を行なうようにすることもできる。あるいは、記録部１８にバーコードを記録すれば、バーコードを読み取って、予めバーコードに対応させてあるデータを照合することにより、流通の管理を行なえるようにすることもできる。また、本発明の真偽判定媒体１は、基本的に透明シート２、厚みが一例として１〜１００μｍ程度の凹凸３、および厚みが１μｍ以下の薄膜層６からなるので、非常に薄くすることが可能であり、種々の対象物品に貼着して用いるのに適している。
【００３５】
真偽判定媒体１を構成する透明シート２は、凹凸３を直接に型付けによって設ける場合には型付けの対象であり、凹凸３を別の層として設ける場合には凹凸３を積層する対象となる層であるので、これら型付けや積層の加工の際に必要な機械的強度、耐熱性、および耐溶剤性等を備え、また、真偽判定媒体を他の物品に貼着等により適用する際に必要とされる機械的強度および耐熱性を備えたものであることが好ましい。
【００３６】
透明シート２としては、上記の諸性能を備えた各種のプラスチックフィルムを用いることが好ましく、例えば２軸延伸ポリエチレンテレフタレートフィルム（以降、単にＰＥＴフィルムと言う。）等を使用することができるが、他の透明プラスチックフィルムであってもよい。ＰＥＴフィルムを透明シート２として使用する場合、その厚みは、５μｍ〜２５０μｍが好ましく、上記の必要な特性を備え、加工適性、および熱転写の際の熱効率などを考慮すると、１０μｍ〜５０μｍがより好ましい。
【００３７】
なお、図１（ｂ）を引用して説明した、薄膜層６と基材シート７との積層シートを構成するための基材シートとしても、上記と同様のプラスチックフィルムを用いることができる。
【００３８】
図１を引用して説明したように、透明シート２とは別体の凹凸３を設けるときは、例えば、凹凸３の形状の逆型形状を表面に有する型板を準備し、型板との間を間隔をあけて配置された透明シート２との間に透明な紫外線硬化性樹脂組成物等を一面に充填し、紫外線照射等により硬化させた後、透明シート２とその表面に積層された硬化物とを型板から分離することにより、凹凸３を形成することができる。また、透明シート２そのものに凹凸３を付与する場合には、凹凸３の形状の逆型形状を表面に有する型板と別の平板との間に透明シート２をはさみ、透明シート２が熱変形する温度に加熱しつつ加圧し、その後、解放することにより、凹凸３を形成することができる。いずれの凹凸３の形成においても、型板はローラ状であってもよく、成型における平板もローラ状のもので置き換え得る。
【００３９】
透明パターン層４は、上記のようにして得られた凹凸３を有する面に、凹凸３をパターン状に埋めるようにして形成するもので、凹凸３の高さにもよるが、凹凸３をならすのに必要な厚みの層を形成する必要があるから、シルクスクリーン印刷法等の、インクの盛り量を多くすることが可能な手法によって形成することが好ましい。なお、透明パターン層４は、上記の凹凸３を構成する素材と等しいか、もしくは近似した光の屈折率を持つ透明樹脂で構成することが好ましく、このようにすることにより、図４（ａ）を引用して説明したように、透明シート２側から入射する入射光１１を、透明パターン層４のある部分では、凹凸３を透過させて透明パターン層４内に到達させることがより確実になる。
【００４０】
薄膜層６は、加熱により光の透過率もしくは光の反射率が変化するものであれば、どのような素材で構成してもよい。例えば、アルミニウム（Ａｌ）、亜鉛（Ｚｎ）、インジウム（Ｉｎ）、金（Ａｕ）、銀（Ａｇ）、コバルト（Ｃｏ）、スズ（Ｓｎ）、セレン（Ｓｅ）、チタン（Ｔｉ）、鉄（Ｆｅ）、テルル（Ｔｅ）、銅（Ｃｕ）、鉛（Ｐｂ）、ニッケル（Ｎｉ）、もしくはパラジウム（Ｐｄ）などの単体の金属、またはこれらの金属の合金を用いて薄膜層６を構成することができる。これらの金属もしくは合金で構成した薄膜層６は、レーザー光を照射することにより、溶融、蒸発、もしくは相変化を起こし、レーザー光が照射された部分と照射されなかった部分との間で、光の透過率の差もしくは光の反射率の差を生じ得るが、通常は、レーザー光が照射された部分が溶融もしくは蒸発して薄膜層６を貫通する貫通孔を生じて、光の透過率の差および光の反射率の差を生じる。
【００４１】
上記のような金属もしくは合金で薄膜層６を形成する方法としては、真空蒸着法、スパッタリング法、もしくはイオンプレーティング法などの薄膜形成法を挙げることができ、薄膜層６の厚みとしては、５０Å〜１μｍが好ましく、１００Å〜１０００Åがより好ましい。薄膜層６に透明性を持たせる場合には、厚みを２００Å以下にするのが好ましく、薄膜層６に隠蔽性を持たせる場合には、厚みを２００Å以上にするのが好ましい。
【００４２】
薄膜層６は、発色剤、顕色剤、およびバインダー樹脂からなる組成物、もしくは発色剤、顕色剤、増感剤、およびバインダー樹脂からなる組成物を用いて構成することもできる。前者は例えば、特開平５−５８０３１号公報に、後者は例えば、特開平５−５７４６３に紹介されている。
【００４３】
上記の発色剤としては、感熱記録材料において電子供与体として使用される発色性物質がいずれも使用でき、例えばトリフェニルメタフタリド系、フェノチアジン系、スピロピラン系、ローダミンラクタム系、リュコミラン系、フルオラン系等の無色のロイコ系染料を挙げることができ、なかでもフルオラン系のものが好ましい。
【００４４】
上記の顕色剤としては、感熱記録材料において電子受容体として使用される酸性物質がいずれも使用でき、無機系顕色剤と有機系顕色剤とに大別される。無機系顕色剤としては酸性白土、カオリン、もしくはゼオライト等をあげることができる。有機系顕色剤としては、（１）芳香族カルボン酸、その無水物、もしくはその金属塩類、（２）有機スルホン酸、もしくはその他の有機酸、又は（３）フェノール性化合物、フェノール性化合物のメチロール化物、もしくはフェノール性化合物の塩又は錯体等を挙げることができる。顕色剤としては、これらのうちでも、（３）のフェノール性化合物、フェノール性化合物のメチロール化物、もしくはフェノール性化合物の塩又は錯体が好ましい。
【００４５】
上記の増感剤としては、硼酸塩類、燐酸塩類、もしくは珪酸塩類等が好ましいが、発色性の点で、硼酸亜鉛もしくは硼酸アルミニウム、燐酸亜鉛もしくは燐酸アルミニウム、コージェライトおよび雲母が好ましく、中でも硼酸亜鉛がより好ましい。
【００４６】
上記の発色剤、顕色剤、必要に応じて配合する増感剤、および適宜なバインダー樹脂を、水、アルコールもしくはその他の適宜な溶剤と共に、溶解もしくは分散させて塗布用の組成物を調製し、塗布および乾燥を経て、薄膜層６とすることができる。
【００４７】
本発明の真偽判定媒体１は、任意の基材上に積層して、積層された基材の真偽を判別可能として、その基材の偽造に対する抵抗性を向上させることができる。
【００４８】
図７は、以上のような真偽判定媒体１を適用した本発明の真偽判定体を例示する図である。この例の真偽判定体１９は、基材２０上に真偽判定体１が積層されたもので、真偽判定媒体１は、基材２０側より、接着剤層Ａ（符号８Ａ）、基材シート７、薄膜層６、接着剤層Ｂ（符号８Ｂ）、透明パターン層４、凹凸３、および透明シート２が積層されたものである。
【００４９】
基材２０は、例えば、背景技術において例示したような、経済的な価値の高い高額商品やＩＤ手段として用いることにより価値を生じ得るクレジットカード、金券類等であり得るが、次に例示するような種々のものでもあり得る。
【００５０】
純正品の認証の必要のある、例えば、プリンタ消耗品、電子機器、電気機器、コンピュータ製品、医薬品、もしくは化学品。高級ブランド品、例えば、時計、衣類、バッグ、宝石、スポーツ用品、もしくは化粧品等。ＩＤ証、例えば、パスポート、運転免許証、保険証、もしくは図書カード等、金券、例えば、商品券、ギフト券、もしくはプリペイドカード等。これらの列挙したものは、上記の基材２０となり得るが、必要に応じて、これらを収納もしくは包装する収納容器、包装材料を基材２０としてもよい。
【００５１】
このように、本発明の真偽判定媒体１を対象となる基材２０に適用する際には、真偽判定媒体１に予め貼着用の接着剤層を積層したラベルの形態のものや、真偽判定用媒体１を転写するための転写シートの形態のものを準備して使用することが好ましい。
【００５２】
図２は、そのような目的で使用することが好ましい真偽判定媒体ラベル９の積層構造を例示するものであり、図の上側から、透明シート２、凹凸３、透明パターン層４、接着剤層Ｂ（符号８Ｂ）、薄膜層６、基材シート７、および接着剤層Ａ（符号８Ａ）が順に積層された積層構造を有するが、基本的には図１を引用して説明した真偽判定媒体１の透明シート２とは反対側に接着剤層が積層されたものであればよい。図２を引用して説明する例においては、薄膜層６と上層との間に接着剤層Ｂ（符号８Ｂ）が介在しており、感熱接着剤もしくは感圧接着剤を用いて構成することができるが、薄膜層６を上層の下面側に直接に形成し得るときは、省略し得る。また、基材シート７も省略し得ることは既に述べたとおりである。図２を引用して説明する例の最下層の接着剤層Ｂ（符号８Ｂ）は、真偽判定媒体ラベル９を対象となる基材２０に貼着するためのもので、感熱接着剤もしくは感圧接着剤を用いて構成することができるが、基本的に加圧を行なえば接着が可能となる感圧接着剤、具体的には粘着剤を用いて構成することが好ましい。
【００５３】
粘着剤としては、アクリル樹脂やアクリル酸エステル樹脂もしくはこれらの樹脂の共重合体、スチレン／ブタジエン共重合体、天然ゴム、カゼイン、ゼラチン、ロジンエステル、テルペン樹脂、フェノール系樹脂、スチレン系樹脂、クマロンインデン樹脂、ポリビニルエーテル樹脂、シリコーン樹脂、α−シアノアクリレート系樹脂、シリコーン系樹脂、マレイミド系樹脂、スチロール系樹脂、ポリオレフィン系樹脂、レゾルシノール系樹脂、ポリビニルエーテル系樹脂、もしくはシリコーン系樹脂等からなるものを挙げることができる。なお、粘着剤を用いるときは、粘着剤層の露出面に、粘着剤層の保護用として剥離シートを積層することが好ましく、剥離シートとしては、紙やプラスチックフィルムに必要に応じ離型処理を施したものを使用することができる。
【００５４】
図３は、真偽判定媒体転写シート１０の積層構造を例示するものであり、図の上側から、剥離性シート７Ａ、透明シート２、凹凸３、透明パターン層４、薄膜層６、基材シート７、および接着剤層８Ａが順に積層された積層構造を有するが、基本的には図１を引用して説明した真偽判定媒体１の透明シート２側に剥離性シート２Ｂが積層されたものであればよい。図２を引用して説明する例におけるのと同様、薄膜層６と上層との間に接着剤層Ｂ（符号８Ｂ）が介在しており、感熱接着剤もしくは感圧接着剤を用いて構成することができるが、薄膜層６を上層の下面側に直接に形成し得るときは、省略し得る。また、基材シート７も省略し得ることは既に述べたとおりである。図３を引用して説明する例の最下層の接着剤層８Ａは、真偽判定媒体を対象となる基材２０に貼着するためのもので、感熱接着剤もしくは感圧接着剤を用いて構成することができる。被転写対象である基材２０の表面に接着剤が適用されるときは、転写シート１０における接着剤層８Ａは省いてもよい。剥離性シート７Ａは、透明シート２と同様の素材のシートのうちから、積層される層との接着性を考慮して選択することができ、必要に応じ、ワックスもしくはシリコーン等の離型剤をバインダー樹脂中に配合した剥離性層を真偽判定媒体が積層される側の面に積層してあってもよい。
【実施例１】
【００５５】
厚みが５０μｍのＰＥＴフィルム上に、紫外線硬化性樹脂液と凹凸型を重ね、紫外線を照射して紫外線硬化性樹脂液を硬化させ、断面が直角三角形であり、ピッチ；５０μｍ、高さ；２５μｍのプリズムが多数配列した凹凸形状を有する凹凸シートを作成した。この凹凸シートの凹凸形状を有する側に、シルクスクリーン印刷法により、凹部を埋めて表面が平らになるようにして文字及び記号のネガパターンに相当するパターン印刷を行ない、凹凸シートの凹凸形状を有する側とは反対側から眺めたときに、文字および記号の部分が反射パターンとして見えるパターンシートを得た。
【００５６】
上記のものとは別に、厚みが２５μｍのアルミニウム蒸着膜付きＰＥＴフィルムのアルミニウム蒸着膜側に、ポリエステル樹脂系の感熱接着剤を厚みが５μｍになるよう塗布した後、上記で得たパターンシートのパターン印刷面側に感熱接着剤を利用して熱ラミネートした。熱ラミネートは、加熱したニップローラ間を、ローラ加熱温度；１５０℃、速度；０．８ｍ／ｍｉｎ条件で通過させることにより行なった。熱ラミネート後、得られたものの厚みが２５μｍのＰＥＴフィルムの側の露出面に粘着剤層および離型シートを積層して、ラベル形態とした。
【００５７】
得られたラベルのアルミニウム蒸着層に、図５を引用して説明したようにレーザー光を照射して、アルミニウム蒸着膜に点状の除去部分の集まりにより、ラベルを貼着する製品のＩＤ番号を記録し、また、先に得られた反射パターンと同じ形状のパターン（文字および記号のパターン、即ち、ポジパターン）を形成した。
【００５８】
以上の加工を行なった後のラベルの離型シートを剥がし、コンピュータのプリンタ用のトナー容器の表面に貼りつけた。
【図面の簡単な説明】
【００５９】
【図１】真偽判定媒体の積層構造を示す図である。
【図２】真偽判定媒体貼着用ラベルを示す図である。
【図３】真偽判定媒体転写シートを示す図である。
【図４】真偽判定媒体の凹凸および透明パターンに基づくパターンを示す図である。
【図５】薄膜層に記録部を形成する様子を示す図である。
【図６】真偽判定媒体のパターン、記録部を説明する図である。
【図７】真偽判定媒体を適用した真偽判定体を示す図である。
【符号の説明】
【００６０】
１……真偽判定媒体
２……透明シート
３……凹凸
４……透明パターン層
５……空気
６……薄膜層
７……基材シート
８……接着剤層
９……真偽判定媒体貼着用ラベル
１０……真偽判定媒体転写シート
１３……反射部
１８……記録部
１９……真偽判定体
【図１】
2006007592.tif 000003
【図２】
2006007592.tif 000004
【図３】
2006007592.tif 000005
【図４】
2006007592.tif 000006
【図５】
2006007592.tif 000007
【図６】
2006007592.tif 000008
【図７】
2006007592.tif 000009